(57)【要約】【課題】挿通部材の曲げに対して防水機能を維持することができるシール部材を提供すること。【解決手段】線状の挿通部材と、前記挿通部材が挿通する管状部材と、を水密し、前記挿通部材が挿通する環状のシール部材であって、前記挿通部材との間を水密する内側シール部と、前記管状部材との間を水密する外側シール部と、前記内側シール部と前記外側シール部との間に形成された応力吸収部と、を備え、前記応力吸収部によって、前記内側シール部と前記外側シール部とが、前記挿通部材の長手方向に離間して形成されているシール部材。【選択図】図１
2014203790.tif 000002
【特許請求の範囲】
【請求項１】
線状の挿通部材と、前記挿通部材が挿通する管状部材と、を水密し、前記挿通部材が挿通する環状のシール部材であって、
前記挿通部材との間を水密する内側シール部と、
前記管状部材との間を水密する外側シール部と、
前記内側シール部と前記外側シール部との間に形成された応力吸収部と、を備え、
前記応力吸収部によって、前記内側シール部と前記外側シール部とが、前記挿通部材の長手方向に離間して形成されていることを特徴とするシール部材。
【請求項２】
前記応力吸収部は、前記外側シール部側から前記内側シール部側に向かって縮径していることを特徴とする請求項１に記載のシール部材。
【請求項３】
前記シール部材は、前記内側シール部と前記外側シール部との間に、前記シール部材を前記挿通部材または前記管状部材に固定する固定部を備えることを特徴とする請求項１または請求項２に記載のシール部材。
【請求項４】
前記シール部材は、ゴム、または、シリコーン、ポリ塩化ビニルからなることを特徴とする請求項１〜３のいずれか１つに記載のシール部材。
【請求項５】
前記応力吸収部は、前記挿通部材が曲がることによって生じる応力に対し、前記挿通部材と前記内側シール部との水密を保持することを特徴とする請求項１〜４のいずれか１つに記載のシール部材。
【請求項６】
請求項１〜５のいずれか１つに記載のシール部材と、
前記管状部材と、を備え、
前記管状部材は、コネクタハウジングであることを特徴とするコネクタ。
【請求項７】
請求項６に記載のコネクタと、
前記挿通部材と、を備え、
前記挿通部材は、ケーブルであることを特徴とするコネクタ付ケーブル。
【発明の詳細な説明】
【技術分野】
【０００１】
本発明は、シール部材、コネクタ、および、コネクタ付ケーブルに関するものである。
【背景技術】
【０００２】
近年の車両内での制御信号、画像信号、音声信号等の通信情報量の増大に伴い、情報信号の伝送に使用される伝送路にも、従来のメタルケーブルに代えて光ファイバケーブルが用いられるようになってきている（特許文献１，２参照）。光ファイバケーブルは、メタルケーブルのように通信速度の高速化により周囲にノイズを放出するという問題もないため、高速、大容量の情報通信に適する信号伝送路である。
【０００３】
光ファイバケーブルは、その端部に光コネクタを備えている。光コネクタは、光ファイバケーブルの先端に取り付けられるフェルール等を有する端子（光ファイバ端子）と、この光ファイバ端子を保持し、他の光コネクタ等と接続するための構造を有するハウジングとを備えている。一方、通信を行なう装置にも光コネクタが備えられており、光コネクタ同士を接続することによって、光ファイバケーブルと、通信を行なう装置とを接続することができる。また、光ファイバケーブル同士の接続も光コネクタによって実現される。光ファイバケーブル同士の接続はＷｉｒｅ  ｔｏ  Ｗｉｒｅ接続と呼ばれる。
【０００４】
さらに、車載用の防水機能を備えたコネクタとして、例えば、特許文献３に記載の構成が開示されている。
【先行技術文献】
【特許文献】
【０００５】
【特許文献１】特開２００２−１０７５７３号公報
【特許文献２】特許第３８１３４９６号公報
【特許文献３】特開２００８−２３５１９１号公報
【発明の概要】
【発明が解決しようとする課題】
【０００６】
このような、コネクタ付ケーブルにおいて、コネクタ内は、外部からの水の浸入に対して、シールされていることが好ましい。水分が侵入すると、ワイヤケーブルの場合は電気的特性の低下を招来する恐れがあり、光ファイバケーブルの場合は光学特性の低下を招来する恐れがある。さらに、コネクタの場合、接続損失が増加するおそれがある。
【０００７】
ここで、図６は、公知のコネクタ付ケーブルの一例の模式的な断面図である。図６に示すように、コネクタ付ケーブル６０は、挿通部材６１と、管状部材６２と、シール部材６３とを備える。挿通部材６１は、例えば、光ファイバケーブルである。管状部材６２は、例えば、金属、プラスチック等からなり、コネクタ６２ａと、収容部６２ｂとを備える。シール部材６３は、例えば、ゴム、または、シリコーン、ポリ塩化ビニル等の弾力性を有する材料からなる。このとき、シール部材６３は、その弾力性によって、挿通部材６１と、管状部材６２の収容部６２ｂとの間に嵌め込まれる。これによって、挿通部材６１と、シール部材６３とが水密され、管状部材６２の収容部６２ｂとシール部材６３とが水密される。
【０００８】
このような、コネクタ付ケーブル６０において、使用による外力が加わると、挿通部材６１が曲がることがある。図７は、図６に示すコネクタ付ケーブルの挿通部材が曲げられた様子を表す模式的な断面図である。このとき、図７のように、管状部材６２とシール部材６３との間に、離間部６４ができる場合がある。これにより、シール部材６３の弾力性による水密が十分に機能しなくなり、シール部材６３の防水機能が損なわれる場合があるという課題がある。
【０００９】
本発明は、上記に鑑みてなされたものであって、挿通部材の曲げに対して防水機能を維持することができるシール部材、コネクタ、および、コネクタ付ケーブルを提供することを目的とする。
【課題を解決するための手段】
【００１０】
上述した課題を解決し、目的を達成するために、本発明に係るシール部材は、線状の挿通部材と、前記挿通部材が挿通する管状部材と、を水密し、前記挿通部材が挿通する環状のシール部材であって、前記挿通部材との間を水密する内側シール部と、前記管状部材との間を水密する外側シール部と、前記内側シール部と前記外側シール部との間に形成された応力吸収部と、を備え、前記応力吸収部によって、前記内側シール部と前記外側シール部とが、前記挿通部材の長手方向に離間して形成されていることを特徴とする。
【００１１】
また、本発明に係るシール部材は、上記発明において、前記応力吸収部は、前記外側シール部側から前記内側シール部側に向かって縮径していることを特徴とする。
【００１２】
また、本発明に係るシール部材は、上記発明において、前記シール部材は、前記内側シール部と前記外側シール部との間に、前記シール部材を前記挿通部材または前記管状部材に固定する固定部を備えることを特徴とする。
【００１３】
また、本発明に係るシール部材は、上記発明において、前記シール部材は、ゴム、または、シリコーン、ポリ塩化ビニルからなることを特徴とする。
【００１４】
また、本発明に係るシール部材は、上記発明において、前記応力吸収部は、前記挿通部材が曲がることによって生じる応力に対し、前記挿通部材と前記内側シール部との水密を保持することを特徴とする。
【００１５】
また、本発明に係るコネクタは、上記発明のシール部材と、前記管状部材と、を備え、前記管状部材は、コネクタハウジングであることを特徴とする。
【００１６】
また、本発明に係るコネクタ付ケーブルは、上記発明のコネクタと、前記挿通部材と、を備え、前記挿通部材は、ケーブルであることを特徴とする。
【発明の効果】
【００１７】
本発明によれば、挿通部材の曲げに対して防水機能を維持することができるシール部材、コネクタ、および、コネクタ付ケーブルを実現することができる。
【図面の簡単な説明】
【００１８】
【図１】図１は、本発明の実施の形態１に係るコネクタ付ケーブルの模式的な断面図である。
【図２】図２は、本発明の実施の形態２に係るコネクタ付ケーブルの模式的な断面図である。
【図３】図３は、本発明の実施の形態３に係るコネクタ付ケーブルの模式的な断面図である。
【図４】図４は、本発明の実施の形態４に係るコネクタ付ケーブルの模式的な断面図である。
【図５】図５は、本発明の実施の形態５に係るコネクタ付ケーブルの模式的な断面図である。
【図６】図６は、コネクタ付ケーブルの模式的な断面図である。
【図７】図７は、図６に示すコネクタ付ケーブルの挿通部材が曲げられた様子を表す模式的な断面図である。
【発明を実施するための形態】
【００１９】
以下に、図面を参照して本発明に係るコネクタ付ケーブルの実施の形態を説明する。なお、この実施の形態によりこの発明が限定されるものではない。また、図面の記載において、同一または対応する要素には適宜同一の符号を付している。また、図面は模式的なものであり、各要素の寸法の関係、各要素の比率などは、現実と異なる場合があることに留意する必要がある。図面の相互間においても、互いの寸法の関係や比率が異なる部分が含まれている場合がある。
【００２０】
（実施の形態１）
まず、本発明の実施の形態１に係るコネクタ付ケーブルについて説明する。図１は、本発明の実施の形態１に係るコネクタ付ケーブルの模式的な断面図である。図１に示すように、コネクタ付ケーブル１０は、挿通部材１１と、管状部材１２と、シール部材１３とを備える。
【００２１】
挿通部材１１は、例えば、断面が円形の光ファイバケーブルであるが、電源ケーブル等の防水されることが好ましい各種の線状の部材であってよい。管状部材１２は、コネクタ１２ａと、収容部１２ｂとを備え、例えば、金属、プラスチック等からなり、シール部材１３に押圧されることによって、変形しない程度の剛性を備えることが好ましい。管状部材１２は、例えば、コネクタハウジングであって、コネクタ１２ａは、コネクタを備えた別のケーブル、または、装置とコネクタ同士を接続できる機能を備えていてもよい。収容部１２ｂは、シール部材１３を収容するために、内径が広げられている部位である。一方で、管状部材１２の収容部１２ｂ以外の部位の内径は、挿通部材１１の外径と略等しい。
【００２２】
シール部材１３は、内側シール部１３ａと、外側シール部１３ｂと、応力吸収部１３ｃと、を備え、例えば、ゴム、または、シリコーン、ポリ塩化ビニル等の弾力性を有する材料からなる。また、シール部材１３と、挿通部材１１との間には、隙間１３ｄが形成されている。内側シール部１３ａは、挿通部材１１の外径よりもわずかに小さい内径を有する。これによって、シール部材１３に挿通部材１１が挿通されると、その弾力性によって、シール部材１３と挿通部材１１との間を水密する。一方で、外側シール部１３ｂは、収容部１２ｂの内径よりもわずかに大きい外径を有する。これによって、シール部材１３が収容部１２ｂに勘合されると、その弾力性によって、シール部材１３と管状部材１２との間を水密する。なお、外側シール部１３ｂの挿通部材１１側は、外側シール部１３ｂを収容部１２ｂに押圧させるために、挿通部材１１と接触しているが、この接点においてシール部材１３と挿通部材１１との間が水密されている必要ない。
【００２３】
応力吸収部１３ｃは、内側シール部１３ａと外側シール部１３ｂとの間に形成されている。これによって、内側シール部１３ａと外側シール部１３ｂとが、挿通部材１１の長手方向に離間して形成されている。また、応力吸収部１３ｃと、挿通部材１１との間には、隙間１３ｄが形成されていることが好ましい。
【００２４】
次に、このコネクタ付ケーブル１０において、挿通部材１１が曲げられた場合のシール部材１３の防水機能の様子について、コネクタ付ケーブル６０と対比しながら説明する。まず、コネクタ付ケーブル１０の挿通部材１１に外部から応力が加えられた場合において、挿通部材１１のうち、剛性のある管状部材１２に挿通している部位は、ほとんど曲がらない。一方で、挿通部材１１のうち、管状部材１２の収容部１２ｂを含めて、弾力性のあるシール部材１３に挿通している部位は、曲がる場合がある。また、管状部材１２、および、シール部材１３のいずれにも挿通されていない部位も曲がる場合がある。したがって、コネクタ付ケーブル１０の挿通部材１１に外部から応力を加えた場合、挿通部材１１は、管状部材１２の収容部１２ｂから曲がることとなる。
【００２５】
ここで、挿通部材１１が曲がると、曲げられた曲線部の外側が延伸する。すると、シール部材１３の内側シール部１３ａの内径が挿通部材１１の外径より小さいため、シール部材１３と挿通部材１１との間に摩擦力が働き、内側シール部１３ａには、挿通部材１１の長手方向に引張応力がかかる。このとき、シール部材１３は弾力性を有するため、この引張応力は、応力吸収部１３ｃによって十分弱められる。したがって、外側シール部１３ｂに伝わる引張応力は十分弱く、シール部材１３と管状部材１２との間の水密が損なわれることもない。なお、応力吸収部１３ｃと挿通部材１１との間に、隙間１３ｄが形成されていることによって、内側シール部１３ａで生じた引張応力が、より外側シール部１３ｂに伝わりづらくなり、外側シール部１３ｂに伝わる引張応力は、さらに弱くなる。
【００２６】
一方で、コネクタ付ケーブル６０のシール部材６３は、シール部材６３と挿通部材６１との間を水密する部位と、シール部材６３と管状部材６２との間を水密する部位とが、一体として構成されており、応力吸収部がない。このとき、挿通部材６１が曲がると、シール部材６３の挿通部材６１と接する内周側は、挿通部材６１に追従するように紙面左下方向に引っ張られる。また、シール部材６３の紙面下側は、挿通部材６１に押圧されて変形し、これにより、シール部材６３の紙面上側は、シール部材６３の弾性力によって、紙面下方向に引っ張られる。これらの応力は、応力吸収部がないため、ほとんど弱められることなくシール部材６３内を伝わる。その結果、この応力の一部が、シール部材６３の紙面上側において、シール部材６３を管状部材６２の収容部６２ｂから離す紙面下方向に働き、この力が十分大きいとき、図７に示すように、管状部材６２とシール部材６３との間に、離間部６４ができる。これによって、シール部材６３の弾性力によるシール部材６３と管状部材６２の収容部６２ｂとの水密が十分に機能しなくなり、コネクタ付ケーブル６０の、防水機能が損なわれることとなる。
【００２７】
以上説明したように、通常のコネクタ付ケーブル６０においては、挿通部材６１が曲げられると、管状部材６２とシール部材６３との間に、離間部６４ができ、その防水機能が損なわれる場合がある。一方で、本実施の形態１に係るコネクタ付ケーブル１０においては、内側シール部１３ａで生じた引張応力が、応力吸収部１３ｃによって十分弱められ、外側シール部１３ｂに伝わる引張応力は十分弱いため、挿通部材１１の曲げによって、管状部材１２とシール部材１３との間に、離間部ができることはない。これによって、コネクタ付ケーブル１０の防水機能が損なわれることを防ぐことができる。したがって、本実施の形態１に係るコネクタ付ケーブル１０は、挿通部材の曲げに対して防水機能を維持することができるコネクタ付ケーブルである。
【００２８】
（実施の形態２）
次に、本発明の実施の形態２に係るコネクタ付ケーブルについて説明する。図２は、本発明の実施の形態２に係るコネクタ付ケーブルの模式的な断面図である。図２に示すように、本実施の形態２に係るコネクタ付ケーブル２０は、挿通部材２１と、管状部材２２と、シール部材２３とを備える。管状部材２２は、コネクタ２２ａと、収容部２２ｂと、貫通孔２２ｃとを備える。シール部材２３は、内側シール部２３ａと、外側シール部２３ｂと、応力吸収部２３ｃと、固定部２３ｅとを備える。また、シール部材２３と、挿通部材２１との間には、隙間２３ｄが形成されている。ここで、応力吸収部２３ｃは、外側シール部２３ｂ側から内側シール部２３ａ側に向かって縮径し、挿通部材２１の長手方向に対して傾斜を有している。また、固定部２３ｅは、内側シール部２３ａと外側シール部２３ｂとの間に形成され、挿通部材２２の貫通孔２２ｃに勘合して固定される。これによって、シール部材２３が管状部材２２に固定される。
【００２９】
ここで、このコネクタ付ケーブル２０において、挿通部材２１が曲げられた場合のシール部材２３の防水機能の様子について説明する。挿通部材２１が曲げられると、内側シール部２３ａには、挿通部材２１の長手方向に引張応力がかかる。このとき、シール部材２３は弾力性を有するため、この引張応力は、応力吸収部２３ｃによって十分弱められる。したがって、外側シール部２３ｂに伝わる引張応力は十分弱い。さらに、応力吸収部２３ｃが、外側シール部２３ｂ側から内側シール部２３ａ側に向かって縮径し、傾斜を有している。これにより、内側シール部２３ａで生じた引張応力は、固定部２３ｅを貫通孔２２ｃから引き抜く方向の力と、固定部２３ｅをコネクタ２２ａから離れる側に引っ張る方向の力とに分割される。このうち、固定部２３ｅをコネクタ２２ａから離れる側に引っ張る力の一部が、外側シール部２３ｂに伝わるが、上述のように力が分割されるため、傾斜がない場合より外側シール部２３ｂに伝わる力が弱くなる。その上、固定部２３ｅが管状部材２２の２２ｃに固定されているため、外側シール部２３ｂに伝わる力は、さらに弱くなる。
【００３０】
このように、応力吸収部２３ｃが形成されているだけでなく、応力吸収部２３ｃが縮径していることによって傾斜を有し、さらに、シール部材２３が固定部２３ｅを有することによって、外側シール部２３ｂに伝わる引張応力は十分弱められ、シール部材２３と管状部材２２との間の水密が損なわれることもない。したがって、本実施の形態２に係るコネクタ付ケーブル２０は、挿通部材の曲げに対して防水機能を維持することができるコネクタ付ケーブルである。
【００３１】
（実施の形態３）
次に、本発明の実施の形態３に係るコネクタ付ケーブルについて説明する。図３は、本発明の実施の形態３に係るコネクタ付ケーブルの模式的な断面図である。図３に示すように、本実施の形態３に係るコネクタ付ケーブル３０は、挿通部材３１と、管状部材３２と、シール部材３３とを備える。管状部材３２は、コネクタ３２ａと、溝部３２ｄとを備える。シール部材３３は、内側シール部３３ａと、外側シール部３３ｂと、応力吸収部３３ｃと、固定部３３ｅとを備える。また、シール部材３３と、挿通部材３１との間には、隙間３３ｄが形成されている。ここで、コネクタ付ケーブル３０において、管状部材３２の一部がシール部材３３に収容されている。また、固定部３３ｅは、内側シール部３３ａと外側シール部３３ｂとの間に形成され、挿通部材３２の溝部３２ｄに勘合して固定される。これによって、シール部材３３が管状部材３２に固定される。そして、外側シール部３３ｂによってシール部材３３と、管状部材３２とが水密されている。
【００３２】
ここで、このコネクタ付ケーブル３０において、挿通部材３１が曲げられた場合のシール部材３３の防水機能の様子について説明する。挿通部材３１が曲げられると、内側シール部３３ａには、挿通部材３１の長手方向に引張応力がかかる。このとき、シール部材３３は弾力性を有するため、この引張応力は、応力吸収部３３ｃによって十分弱められる。したがって、外側シール部３３ｂに伝わる引張応力は十分弱い。その上、固定部３３ｅが管状部材３２の溝部３２ｄに固定されているため、外側シール部３３ｂに伝わる力は、さらに弱くなる。
【００３３】
このように、応力吸収部３３ｃが形成されているだけでなく、シール部材３３が固定部３３ｅを有することによって、外側シール部３３ｂに伝わる引張応力は十分弱められ、シール部材３３と管状部材３２との間の水密が損なわれることもない。したがって、本実施の形態３に係るコネクタ付ケーブル３０は、挿通部材の曲げに対して防水機能を維持することができるコネクタ付ケーブルである。
【００３４】
（実施の形態４）
次に、本発明の実施の形態４に係るコネクタ付ケーブルについて説明する。図４は、本発明の実施の形態４に係るコネクタ付ケーブルの模式的な断面図である。図４に示すように、本実施の形態４に係るコネクタ付ケーブル４０は、挿通部材４１と、管状部材４２と、シール部材４３と、固定リング４４とを備える。管状部材４２は、コネクタ４２ａと、収容部４２ｂとを備える。シール部材４３は、内側シール部４３ａと、外側シール部４３ｂと、応力吸収部４３ｃと、固定部４３ｅとを備える。また、シール部材４３と、挿通部材４１との間には、隙間４３ｄが形成されている。ここで、応力吸収部４３ｃは、外側シール部４３ｂ側から内側シール部４３ａ側に向かって縮径し、管状部材４２の長手方向に対して傾斜を有している。また、固定部４３ｅは、内側シール部４３ａと外側シール部４３ｂとの間に形成され、固定リング４４により管状部材４２の収容部４２ｂに押圧し固定される。これによって、シール部材４３が管状部材４２に固定される。
【００３５】
ここで、このコネクタ付ケーブル４０において、挿通部材４１が曲げられた場合のシール部材４３の防水機能の様子について説明する。挿通部材４１が曲げられると、内側シール部４３ａには、挿通部材４１の長手方向に引張応力がかかる。このとき、シール部材４３は弾力性を有するため、この引張応力は、応力吸収部４３ｃによって十分弱められる。したがって、外側シール部４３ｂに伝わる引張応力は十分弱い。さらに、応力吸収部４３ｃは、外側シール部４３ｂ側から内側シール部４３ａ側に向かって縮径し、傾斜を有している。これにより、内側シール部４３ａで生じた引張応力は、固定部４３ｅを挿通部材４１に押しつける方向の力と、固定部４３ｅをコネクタ４２ａから離れる側に引っ張る力とに分けられる。このうち、固定部４３ｅをコネクタ４２ａから離れる側に引っ張る力の一部が、外側シール部４３ｂに伝わるが、上述のように力が分割されるため、傾斜がない場合より弱くなる。その上、固定部４３ｅが固定リング４４によって固定されているため、外側シール部４３ｂに伝わる力は、さらに弱くなる。
【００３６】
このように、応力吸収部４３ｃが形成されているだけでなく、応力吸収部４３ｃが縮径することによって傾斜を有し、さらに、シール部材４３が固定部４３ｅを有することによって、外側シール部４３ｂに伝わる引張応力は十分弱められ、シール部材４３と管状部材４２との間の水密が損なわれることもない。したがって、本実施の形態４に係るコネクタ付ケーブル４０は、挿通部材の曲げに対して防水機能を維持することができるコネクタ付ケーブルである。
【００３７】
（実施の形態５）
次に、本発明の実施の形態５に係るコネクタ付ケーブルについて説明する。図５は、本発明の実施の形態５に係るコネクタ付ケーブルの模式的な断面図である。図５に示すように、本実施の形態５に係るコネクタ付ケーブル５０は、挿通部材５１と、管状部材５２と、シール部材５３と、押圧部材５４とを備える。管状部材５２は、コネクタ５２ａと、収容部５２ｂとを備える。シール部材５３は、内側シール部５３ａと、外側シール部５３ｂと、応力吸収部５３ｃと、固定部５３ｅとを備える。また、シール部材５３と、挿通部材５１との間には、隙間５３ｄが形成されている。ここで、固定部５３ｅは、内側シール部５３ａと外側シール部５３ｂとの間に形成され、押圧部材５４により挿通部材５１に押圧されることによって固定される。これによって、シール部材５３が管状部材５２に固定される。
【００３８】
ここで、このコネクタ付ケーブル５０において、挿通部材５１が曲げられた場合のシール部材５３の防水機能の様子について説明する。挿通部材５１が曲げられると、内側シール部５３ａには、挿通部材５１の長手方向に引張応力がかかる。このとき、シール部材５３は弾力性を有するため、この引張応力は、応力吸収部５３ｃによって十分弱められる。したがって、外側シール部５３ｂに伝わる引張応力は十分弱い。その上、固定部５３ｅが押圧部材５４によって固定されているため、外側シール部５３ｂに伝わる力は、さらに弱くなる。
【００３９】
このように、応力吸収部５３ｃが形成されているだけでなく、シール部材５３が固定部５３ｅを有することによって、外側シール部５３ｂに伝わる引張応力は十分弱められ、シール部材５３と管状部材５２との間の水密が損なわれることもない。したがって、本実施の形態５に係るコネクタ付ケーブル５０は、挿通部材の曲げに対して防水機能を維持することができるコネクタ付ケーブルである。
【００４０】
以上、説明したように、上記実施の形態によれば、挿通部材の曲げに対して防水機能を維持することができるシール部材、コネクタ、および、コネクタ付ケーブルを提供することができる。
【００４１】
なお、上記実施の形態において、挿通部材は円形の断面を有するものとしたが、本発明はこれに限らず、様々な形状の断面を有する挿通部材に適応可能である。その場合、シール部材の内側シール部の内側の形状は、挿通部材の断面の形状と略等しく、わずかに小さくした形状であればよい。これによって、シール部材と挿通部材との間を水密する。
【００４２】
また、上記実施の形態により本発明が限定されるものではない。上述した各構成要素を適宜組み合わせて構成したものも本発明に含まれる。また、さらなる効果や変形例は、当業者によって容易に導き出すことができる。よって、本発明のより広範な態様は、上記の実施の形態に限定されるものではなく、様々な変更が可能である。
【符号の説明】
【００４３】
１０，２０，３０，４０，５０，６０  コネクタ付ケーブル
１１，２１，３１，４１，５１，６１  挿通部材
１２，２２，３２，４２，５２，６２  管状部材
１２ａ，２２ａ，３２ａ，４２ａ，５２ａ，６２ａ  コネクタ
１２ｂ，２２ｂ，４２ｂ，５２ｂ，６２ｂ  収容部
１３，２３，３３，４３，５３，６３  シール部材
１３ａ，２３ａ，３３ａ，４３ａ，５３ａ  内側シール部
１３ｂ，２３ｂ，３３ｂ，４３ｂ，５３ｂ  外側シール部
１３ｃ，２３ｃ，３３ｃ，４３ｃ，５３ｃ  応力吸収部
１３ｄ，２３ｄ，３３ｄ，４３ｄ，５３ｄ  隙間
２２ｃ  貫通孔
２３ｅ，３３ｅ，４３ｅ，５３ｅ  固定部
３２ｄ  溝部
４４  固定リング
５４  押圧部材
６４  離間部
【図１】
2014203790.tif 000003
【図２】
2014203790.tif 000004
【図３】
2014203790.tif 000005
【図４】
2014203790.tif 000006
【図５】
2014203790.tif 000007
【図６】
2014203790.tif 000008
【図７】
2014203790.tif 000009